(57)【要約】グロメット１０は、対向面１２ｂから取付面９０ａに向かって突出するとともに対向面１２ｂと取付面９０ａとの間を全周にわたってシールする環状の外側リップ１６と、内側リップ１７とを有している。外側リップ１６の内周面１６ａと取付面９０ａとがなす第１角度α１は鋭角であり、外側リップ１６の外周面１６ｂと取付面９０ａとがなす第２角度α２は第１角度α１よりも大きい。また、内側リップ１７の内周面１７ａと取付面９０ａとがなす第３角度α３は鋭角であり、内側リップ１７の外周面１７ｂと取付面９０ａとがなす第４角度α４は第３角度α３よりも大きい。
2020059392.tif 000002
【特許請求の範囲】
【請求項１】
取付パネルの取付面と対向する対向面を有し、前記取付パネルに装着される筒状のグロメットと、
前記グロメットの前記対向面を前記取付パネルの前記取付面に対して押圧するブラケットと、を備え、
前記グロメットは、前記対向面から前記取付面に向かって突出するとともに前記対向面と前記取付面との間を全周にわたってシールする環状の複数のリップを有しており、
前記複数のリップは、前記複数のリップのうちの最外周に位置する外側リップと、前記外側リップよりも内側に位置する内側リップとを有しており、
前記外側リップの内周面と前記取付面とがなす第１角度は鋭角であり、
前記外側リップの外周面と前記取付面とがなす第２角度は前記第１角度よりも大きい、
グロメットのシール構造。
【請求項２】
前記内側リップの内周面と前記取付面とがなす第３角度は鋭角であり、
前記内側リップの外周面と前記取付面とがなす第４角度は前記第３角度よりも大きい、
請求項１に記載のグロメットのシール構造。
【請求項３】
前記内側リップの内周面と前記取付面とがなす第３角度は鋭角であり、
前記内側リップの外周面と前記取付面とがなす第４角度は前記第３角度と同一である、
請求項１に記載のグロメットのシール構造。
【請求項４】
前記外側リップ及び前記内側リップのうち少なくとも１つの先端には、前記取付面に対向する平面が設けられている、
請求項１〜請求項３のいずれか一項に記載のグロメットのシール構造。
【請求項５】
前記グロメットは、筒部と、前記筒部の一端に連結されるとともに前記筒部よりも拡径された拡径部と、を有しており、
前記対向面は、前記拡径部に設けられており、
前記拡径部の外周面は、前記ブラケットの内周面に沿って設けられており、
前記外側リップの外周面は、前記拡径部の前記外周面と面一に形成されている、
請求項１〜請求項４のいずれか一項に記載のグロメットのシール構造。
【発明の詳細な説明】
【技術分野】
【０００１】
本発明は、ワイヤハーネスに適用されるグロメットのシール構造に関する。
【背景技術】
【０００２】
従来、車両などに配索されるワイヤハーネスには、車両のパネルに形成された貫通孔に挿通され、車両の内部において機器などに電気的に接続されるものがある。こうしたワイヤハーネスには、上記貫通孔におけるシールを行うグロメットが設けられているものがある（例えば、特許文献１参照）。【０００３】
この種のワイヤハーネスのシール構造は、弾性部材からなり、ワイヤハーネスが挿通される筒状のグロメットと、車両のパネルに締結されることでグロメットを車両のパネルに対して押圧するブラケットとを備えている。グロメットは、筒部と、筒部の外周面からパネルに沿うようにして張り出し形成されたボディシール部とを有している。ボディシール部のパネルに対向する面には、２条の環状のリップが突設されている。グロメットのボディシール部がブラケットにより押圧されることで、リップが車両のパネルに押し付けられる。これにより、ボディシール部とパネルとの間がシールされている。
【先行技術文献】
【特許文献】
【０００４】
【特許文献１】特開２０１８−４６７０４号公報
【発明の概要】
【発明が解決しようとする課題】
【０００５】
ところで、上記シール構造では、グロメットとパネルとの間に例えば高圧洗浄水が吹き付けられた場合、高圧洗浄水の水圧によりリップが捲れることにより、グロメットのシール性能が低下するおそれがある。このため、グロメットのシール性能の向上が望まれている。【０００６】
本発明の目的は、シール性能を向上することができるグロメットのシール構造を提供することにある。
【課題を解決するための手段】
【０００７】
上記目的を達成するためのグロメットのシール構造は、取付パネルの取付面と対向する対向面を有し、前記取付パネルに装着される筒状のグロメットと、前記グロメットの前記対向面を前記取付パネルの前記取付面に対して押圧するブラケットと、を備え、前記グロメットは、前記対向面から前記取付面に向かって突出するとともに前記対向面と前記取付面との間を全周にわたってシールする環状の複数のリップを有しており、前記複数のリップは、前記複数のリップのうちの最外周に位置する外側リップと、前記外側リップよりも内側に位置する内側リップとを有しており、前記外側リップの内周面と前記取付面とがなす第１角度は鋭角であり、前記外側リップの外周面と前記取付面とがなす第２角度は前記第１角度よりも大きい。【０００８】
こうした構成によれば、外側リップは、内周面と取付面とがなす第１角度が鋭角であり、外周面と取付面とがなす第２角度が第１角度よりも大きい。このため、外側リップには、ブラケットによる押圧力の分力としてグロメットの径方向外側に向かう力が作用する。当該力は、グロメットと取付パネルとの間に流入する高圧洗浄水などの流入方向に対して逆向きに作用する力となる。これにより、外側リップが捲れることを抑制することができる。したがって、グロメットのシール性能を向上させることができる。【０００９】
また、上記グロメットのシール構造において、前記内側リップの内周面と前記取付面とがなす第３角度は鋭角であり、前記内側リップの外周面と前記取付面とがなす第４角度は前記第３角度よりも大きいことが好ましい。【００１０】
こうした構成によれば、リップ部の内側リップは、内周面と取付面とがなす第３角度が鋭角であり、外周面と取付面とがなす第４角度が第２角度よりも大きい。このため、内側リップは、上記外側リップによる作用効果と同様な作用効果を奏することができる。したがって、グロメットのシール性能をより向上させることができる。【００１１】
また、上記グロメットのシール構造において、前記内側リップの内周面と前記取付面とがなす第３角度は鋭角であり、前記内側リップの外周面と前記取付面とがなす第４角度は前記第３角度と同一であることが好ましい。【００１２】
こうした構成によれば、リップ部の内側リップは、内周面と取付面とがなす第３角度が鋭角であり、外周面と取付面とがなす第４角度が第３角度と同一である。このため、内側リップは、取付面に直交する方向に沿って突出することとなる。これにより、内側リップはブラケットによって取付面に対して直交する方向に沿って押圧される。また、内側リップの幅は、基端側ほど大きく、先端側ほど小さくなる。これにより、内側リップの先端にはブラケットによる押圧力が集中しやすくなる。以上のことから、内側リップの面圧が上がりやすくなる。したがって、グロメットのシール性能をより向上させることができる。【００１３】
また、上記グロメットのシール構造において、前記外側リップ及び前記内側リップのうち少なくとも１つの先端には、前記取付面に対向する平面が設けられていることが好ましい。【００１４】
こうした構成によれば、外側リップ及び内側リップのうち少なくとも１つの先端には平面が設けられている。このため、グロメットがブラケットにより押圧された際にリップ部の先端に作用する面圧を均一にすることができる。したがって、グロメットのシール性能をより一層向上させることができる。【００１５】
また、上記グロメットのシール構造において、前記グロメットは、筒部と、前記筒部の一端に連結されるとともに前記筒部よりも拡径された拡径部と、を有しており、前記対向面は、前記拡径部に設けられており、前記拡径部の外周面は、前記ブラケットの内周面に沿って設けられており、前記外側リップの外周面は、前記拡径部の前記外周面と面一に形成されていることが好ましい。【００１６】
グロメットにブラケットが取り付けられることで、ブラケットの内周面と、外側リップの外周面と、取付面との間には隙間が生じる。特に、外側リップの外周面が拡径部の外周面よりも内側に位置する構成の場合においては、上記隙間が大きくなりやすい。ここで、外側リップが劣化した場合、当該隙間に水が浸入することで外側リップ全体に水圧が作用するため、外側リップが捲れやすくなる。【００１７】
この点、上記構成によれば、外側リップの外周面と拡径部の外周面とが面一に形成されているため、上記隙間を小さくすることができる。これにより、外側リップが劣化した場合であっても、外側リップが捲れにくくなる。したがって、グロメットのシール性能を向上させることができる。
【発明の効果】
【００１８】
本発明によれば、グロメットのシール性能を向上することができる。
【図面の簡単な説明】
【００１９】
【図１】グロメットのシール構造の一実施形態について、ブラケットにより取付パネルに取り付けられたグロメットを示す斜視図。
【図２】同実施形態のグロメットのシール構造について、グロメット、ブラケット、ボルトを互いに離間して示す斜視図。
【図３】同実施形態のグロメットのシール構造について、ブラケットにより取付パネルに取り付けられる直前の状態のグロメットの縦断面図。
【図４】実施例２のグロメットにおけるリップの拡大断面図。
【図５】実施例３のグロメットにおけるリップの拡大断面図。
【図６】比較例のグロメットにおけるリップの拡大断面図。
【図７】実施例及び比較例における劣化前及び劣化後の耐水圧のシミュレーション結果を示すテーブル。
【発明を実施するための形態】
【００２０】
以下、一実施形態について説明する。
図１〜図３に示すように、本実施形態のグロメット１０は、例えば、車両の内外を仕切る取付パネル９０の貫通孔（図示略）に挿通されたワイヤハーネス８０に対して適用されるものである。グロメット１０は、ブラケット６０により取付パネル９０の取付面９０ａに対して押圧されて固定されている。なお、グロメット１０は、例えば、ゴムやエラストマーにより形成されている。
【００２１】
グロメット１０は、円筒状をなす筒部１１と、筒部１１の一端に連結されるとともに筒部１１よりも拡径された拡径部１２と、筒部１１の他端に連結されるとともに山部と谷部とが交互に形成された蛇腹部１３とを備えている。
【００２２】
図２及び図３に示すように、拡径部１２の上面には、ブラケット６０により押圧される押圧面１２ａが全周にわたって設けられている。なお、押圧面１２ａは、グロメット１０が取付面９０ａに取り付けられた状態において、取付面９０ａと平行をなしている。
【００２３】
図３に示すように、拡径部１２の下面には、取付パネル９０の取付面９０ａと対向する対向面１２ｂが設けられている。対向面１２ｂには、取付面９０ａに向かって突出する環状の複数（本実施形態では２つ）のリップ１５が設けられている。以降において、複数のリップ１５のうちの最外周に位置するリップを外側リップ１６と称し、外側リップ１６よりも内側に位置するリップを内側リップ１７と称する。
【００２４】
外側リップ１６の内周面１６ａと取付パネル９０の取付面９０ａとがなす第１角度α１は鋭角である。また、外側リップ１６の外周面１６ｂと取付パネル９０の取付面９０ａとがなす第２角度α２は、第１角度α１よりも大きい。なお、本実施形態では、第２角度α２は９０度である。
【００２５】
内側リップ１７の内周面１７ａと取付パネル９０の取付面９０ａとがなす第３角度α３は鋭角である。また、内側リップ１７の外周面１７ｂと取付パネル９０の取付面９０ａとがなす第４角度α４は、第３角度α３よりも大きい。なお、本実施形態では、第４角度α４は９０度である。
【００２６】
外側リップ１６の先端及び内側リップ１７の先端には、取付パネル９０の取付面９０ａに対向する平面１６ｃと１７ｃとがそれぞれ設けられている。
図１〜図３に示すように、ブラケット６０は、グロメット１０の押圧面１２ａを押圧する底壁部６１と、拡径部１２の外周面１２ｃを覆う周壁部６２と、周壁部６２の下端から外周側に突出する一対のフランジ部６３とを有している。
【００２７】
底壁部６１の中心には、グロメット１０の筒部１１が挿通される挿通孔６１ａが設けられている。
各フランジ部６３の先端には、ボルト７０が挿通される挿通孔６３ａが設けられている。
【００２８】
各フランジ部６３がボルト７０によって取付パネル９０の取付面９０ａに締結されることで、底壁部６１によりグロメット１０の押圧面１２ａが押圧される。これにより、リップ１５が取付面９０ａに対して押圧されて、グロメット１０と取付パネル９０との間がシールされる。
【００２９】
本実施形態の作用について説明する。
グロメット１０の外側リップ１６及び内側リップ１７の第１角度α１及び第３角度α３は鋭角であり、第２角度α２及び第４角度α４は、第１角度α１及び第３角度α３よりも大きい。このため、外側リップ１６及び内側リップ１７には、ブラケット６０による押圧力の分力としてグロメット１０の径方向外側に向かう力が作用する。当該力は、グロメット１０と取付パネル９０との間に流入する高圧洗浄水などの流入方向に対して逆向きに作用する力となる（作用１）。
【００３０】
また、外側リップ１６及び内側リップ１７の先端には、取付パネル９０の取付面９０ａに対向する平面１６ｃ及び１７ｃが設けられている。このため、グロメット１０がブラケット６０により押圧された際にリップ１５の先端に作用する面圧を均一にすることができる（作用２）。
【００３１】
ところで、図３に示すように、グロメット１０にブラケット６０が取り付けられることで、ブラケット６０の内周面６０ｃと、外側リップ１６の外周面１６ｂと、取付面９０ａとの間には隙間１１０が生じる。特に、本実施形態とは異なり、外側リップ１６の外周面１６ｂが拡径部１２の外周面１２ｃよりも径方向内側に位置する構成の場合においては、隙間１１０が大きくなりやすい。ここで、外側リップ１６が劣化した場合、隙間１１０に水が浸入することで外側リップ１６全体に水圧が作用する。このため、外側リップ１６が捲れやすくなるおそれがある。
【００３２】
本実施形態のグロメット１０の外側リップ１６においては、外側リップ１６の外周面１６ｂと拡径部１２の外周面１２ｃとが面一に形成されているため、上記構成と比較して、隙間１１０を小さくすることができる（作用３）。
【００３３】
本実施形態の効果について説明する。
（１）グロメット１０は、対向面１２ｂから取付面９０ａに向かって突出するとともに対向面１２ｂと取付面９０ａとの間を全周にわたってシールする環状の外側リップ１６と、内側リップ１７とを有している。外側リップ１６の内周面１６ａと取付面９０ａとがなす第１角度α１は鋭角であり、外側リップ１６の外周面１６ｂと取付面９０ａとがなす第２角度α２は第１角度α１よりも大きい。また、内側リップ１７の内周面１７ａと取付面９０ａとがなす第３角度α３は鋭角であり、内側リップ１７の外周面１７ｂと取付面９０ａとがなす第４角度α４は第３角度α３よりも大きい。
【００３４】
こうした構成によれば、上記作用１を奏することから、外側リップ１６及び内側リップ１７が捲れることを抑制することができる。したがって、グロメット１０のシール性能を向上させることができる。
【００３５】
（２）外側リップ１６及び内側リップ１７の先端には、取付面９０ａに対向する平面１６ｃ，１７ｃがそれぞれ設けられている。
こうした構成によれば、上記作用２を奏することから、グロメット１０のシール性能を一層向上させることができる。
【００３６】
（３）拡径部１２の外周面１２ｃは、ブラケット６０の内周面６０ｃに沿って設けられており、外側リップ１６の外周面１６ｂは、拡径部１２の外周面１２ｃと面一に形成されている。
【００３７】
こうした構成によれば、上記作用３を奏することから、外側リップ１６が劣化した場合であっても、外側リップ１６が捲れにくくなる。したがって、グロメットのシール性能をより一層向上させることができる。
【００３８】
本実施形態は、以下のように変更して実施することができる。本実施形態及び以下の変更例は、技術的に矛盾しない範囲で互いに組み合わせて実施することができる。
・第１角度α１と第３角度α３とは、同一であってもよいし、互いに異なっていてもよい。また、第２角度α２と第４角度α４とは、同一であってもよいし、互いに異なっていてもよい。
【００３９】
・本実施形態のリップ１５は、外側リップ１６と内側リップ１７とからなるものであったが、内側リップ１７が複数設けられたリップを有するグロメットを採用することもできる。
【００４０】
次に、図３〜図７を参照して、実施例及び比較例を挙げて上記実施形態及びその変更例をさらに具体的に説明する。なお、実施例１は、上記実施形態に係るグロメット１０である。
【００４１】
ここでは、実施例１〜３及び比較例のグロメットにおけるシール性能をシミュレーションにより確認した。
まず、実施例２のグロメット２０、実施例３のグロメット３０、及び比較例のグロメット４０の形状について説明する。図３〜図５に示すように、実施例１〜実施例３のグロメット１０，２０，３０、及び比較例のグロメット４０は、拡径部及びリップの形状がそれぞれ異なる。したがって、グロメット２０，３０，４０の説明において、グロメット１０と対応する構成については、上記実施形態の符号「１＊」に「１０」、「２０」、「３０」を加算した「２＊」、「３＊」、「４＊」を付すことにより、重複する説明を省略する。
【００４２】
＜実施例２＞
図４に示すように、実施例２のグロメット２０における外側リップ２６の内周面２６ａと、取付パネル９０の取付面９０ａとがなす第１角度α１は鋭角である。また、外側リップ２６の外周面２６ｂと取付パネル９０の取付面９０ａとがなす第２角度α２は、第１角度α１よりも大きい。なお、実施例２のグロメット２０における第２角度α２は９０度である。外側リップ２６の先端には、取付パネル９０の取付面９０ａに対向する平面２６ｃが設けられている。
【００４３】
また、内側リップ２７の内周面２７ａと取付パネル９０の取付面９０ａとがなす第３角度α３は鋭角である。また、内側リップ２７の外周面２７ｂと取付パネル９０の取付面９０ａとがなす第４角度α４は、第３角度α３と同一である。このため、内側リップ２７の幅（図４における左右方向の長さ）は、基端側ほど大きく、先端側ほど小さくなる。内側リップ２７の先端２７ｃの断面形状は湾曲状をなしている。
【００４４】
＜実施例３＞
図５に示すように、実施例３のグロメット３０における外側リップ３６の内周面３６ａと、取付パネル９０の取付面９０ａとがなす第１角度α１は鋭角である。また、外側リップ３６の外周面３６ｂと取付パネル９０の取付面９０ａとがなす第２角度α２は、第１角度α１よりも大きい。なお、実施例３のグロメット３０における第２角度α２は９０度である。
【００４５】
また、内側リップ３７の内周面３７ａと取付パネル９０の取付面９０ａとがなす第３角度α３は鋭角である。また、内側リップ３７の外周面３７ｂと取付パネル９０の取付面９０ａとがなす第４角度α４は、第３角度α３よりも大きい。なお、実施例３のグロメット３０における第４角度α４は９０度である。
【００４６】
外側リップ３６の先端及び内側リップ３７の先端には、取付パネル９０の取付面９０ａに対向する平面３６ｃ，３７ｃがそれぞれ設けられている。
なお、グロメット３０の拡径部３２の外周面３２ｃは、ブラケット６０の内周面６０ｃに沿って設けられている。また、外側リップ３６の外周面３６ｂは、拡径部３２の外周面３２ｃよりもグロメット３０の径方向内側に位置している。これにより、ブラケット６０の内周面６０ｃ、外側リップ３６の外周面３６ｂ、及び取付面９０ａにより区画される隙間１３０は、実施例１における隙間１１０よりも大きい。
【００４７】
＜比較例＞
図６に示すように、比較例のグロメット４０は、外側リップ４６と内側リップ４７とを有し、外側リップ４６の先端４６ｃ及び内側リップ４７の先端４７ｃは、それぞれ断面半円形状をなしている。比較例のグロメット４０において、外側リップ４６の先端４６ｃを除き、外側リップ４６の内周面４６ａと取付パネル９０の取付面９０ａとがなす第１角度α１、及び外側リップ４６の先端４６ｃを除き、外側リップ４６の外周面４６ｂと取付パネル９０の取付面９０ａとがなす第２角度α２は９０度である。
【００４８】
また、内側リップ４７の先端４７ｃを除き、内側リップ４７の内周面４７ａと取付パネル９０の取付面９０ａとがなす第３角度α３、及び内側リップ４７の先端４７ｃを除き、内側リップ４７の外周面４７ｂと取付パネル９０の取付面９０ａとがなす第４角度α４は９０度である。
【００４９】
以上において説明した実施例１〜実施例３及び比較例のグロメットのリップは、ブラケット６０により取付面９０ａに押圧されることで変形する。図３〜図６においては、便宜上、取付面９０ａに各リップの先端が当接した状態を示している。
【００５０】
次に、シミュレーションの方法について説明する。
まず、取付パネル９０の取付面９０ａに対して、実施例１〜実施例３及び比較例のグロメットを取り付け、各グロメットのリップと取付面９０ａとの間に水圧を作用させる。そして、作用させる水圧を徐々に上昇させて、各リップと取付面９０ａとの間からグロメットの内部に水が流入したときの水圧を各リップの耐水圧としてデータを取得する。このときの耐水圧を各グロメットにおける劣化前の耐水圧とする。
【００５１】
その後、各グロメットの劣化を想定して、各グロメットをブラケット６０により締結された状態で１００℃の環境下で一定時間放置する。そして、一旦、ブラケット６０を取り外した後、再びボルト７０によりブラケット６０を取付パネル９０に締結する。この状態で、上述した方法と同様の方法で耐水圧のデータを取得する。このときの耐水圧を各グロメットにおける劣化後の耐水圧とする。
【００５２】
次に、グロメットの劣化前及び劣化後におけるシミュレーション結果について説明する。
（劣化前）
図７に示すように、実施例１〜実施例３のグロメット１０，２０，３０の劣化前の耐水圧は、いずれも１６ＭＰａ以上である。また、比較例のグロメット４０の劣化前の耐水圧は、１２ＭＰａである。なお、解析の都合上、耐水圧が１６ＭＰａ以上となる場合は、一様に「１６ＭＰａ」として扱うこととした。
【００５３】
実施例１及び実施例３のグロメット１０，３０の外側リップ１６，３６は、第１角度α１が鋭角であり、第２角度α２は第１角度α１よりも大きい。また、内側リップ１７，３７は、第３角度α３が鋭角であり、第４角度α４は第３角度α３よりも大きい。したがって、外側リップ１６，３６及び内側リップ１７，３７は上記作用１を奏することができる。また、外側リップ１６，３６の先端及び内側リップ１７，３７の先端には、平面１６ｃ，３６ｃ及び平面１７ｃ，３７ｃがそれぞれ設けられている。したがって、上記作用２を奏することができる。
【００５４】
以上のことから、実施例１及び実施例３のグロメット１０，３０は、比較例のグロメット４０よりも劣化前の耐水圧が大きくなると考えられる。
一方、実施例２のグロメット２０の外側リップ２６は、第１角度α１が鋭角であり、第２角度α２は第１角度α１よりも大きい。したがって、外側リップ２６は、上記作用１を奏することができる。また、外側リップ２６の先端には、平面２６ｃが設けられている。したがって、上記作用２を奏することができる。
【００５５】
また、内側リップ２７は、第３角度α３が鋭角であり、第４角度α４は第３角度α３と同一である。このため、内側リップ２７は、対向面２２ｂから取付面９０ａに直交する方向に沿って突出することとなる。これにより、内側リップ２７はブラケット６０によって取付面９０ａに対して直交する方向に沿って押圧される。また、内側リップ２７の幅は、基端側ほど大きく、先端側ほど小さくなる。このため、内側リップ２７の先端にはブラケット６０による押圧力が集中しやすくなり、内側リップ２７の面圧が上がりやすくなる。
【００５６】
以上のことから、実施例２のグロメット２０は、比較例のグロメット４０よりも劣化前耐水圧が大きくなると考えられる。
(劣化後)
実施例１〜実施例３のグロメットの１０，２０，３０の劣化後の耐水圧は、それぞれ１４ＭＰａ、８．５ＭＰａ、及び１２ＭＰａである。また、比較例のグロメット４０の劣化後の耐水圧は、８ＭＰａである。
【００５７】
実施例１及び実施例３のグロメット１０，３０のリップには、劣化後であっても、グロメットの径方向外側に向かう分力が作用していると考えられる。このため、実施例１及び実施例３のグロメット１０，３０は、比較例のグロメット４０よりも劣化後の耐水圧が大きくなると考えられる。
【００５８】
実施例２のグロメット２０においては、上述したように、内側リップ２７はブラケット６０によって取付面９０ａに対して直交する方向に沿って押圧される。このため、内側リップ２７には、水圧が作用する方向とは逆向きに作用する力が生じにくい。
【００５９】
以上のことから、実施例２のグロメット２０は、実施例１及び実施例３のグロメット１０，３０よりも劣化後の耐水圧が小さくなると考えられる。
実施例３のグロメット３０の隙間１３０は、上述したように、実施例１のグロメット１０の隙間１１０よりも大きくなる。したがって、実施例１のグロメット１０は、上記作用３を奏することができる。
【００６０】
以上のことから、実施例１のグロメット１０は、実施例３のグロメット３０よりも劣化後の耐水圧が大きくなると考えられる。
本開示のグロメットは、環状のまたはフレア状の弾性シール面を有する弾性シール要素と呼称することがある。
【００６１】
本開示は以下の実装例を包含する。限定のためでなく理解の補助として実施形態の構成要素の参照符号を付した。
［付記１］本開示の一または複数の実装例は、貫通孔を有する取付パネル（９０）に取り付けられ、前記取付パネル（９０）の前記貫通孔を貫通する電線（８０）を囲み、前記取付パネル（９０）に沿った浸水を抑制するための弾性シール要素（１０；２０；３０）に向けられており、この弾性シール要素（１０；２０；３０）は、中心軸（図２の一点鎖線）と、前記取付パネル（９０）に対面可能に構成され前記中心軸を囲む環状のまたはフレア状の弾性シール面とを備えることができ、前記環状のまたはフレア状の弾性シール面は、
第１の環状の先端面（１６ｃ；２６ｃ；３６ｃ）を有する環状の径方向外側リップ（１６；２６；３６）と、
前記環状の径方向外側リップ（１６；２６；３６）よりも径方向内側に設けられ、前記環状の径方向外側リップ（１６；２６；３６）によって囲まれ、第２の環状の先端面（１７ｃ；２７ｃ；３７ｃ）を有する環状の径方向内側リップ（１７；２７；３７）とを備えることができ、
前記環状の径方向外側リップ（１６；２６；３６）及び前記環状の径方向内側リップ（１７；２７；３７）が前記中心軸に沿って圧縮も伸長もされていない自然状態であるときに、前記第１の環状の先端面（１６ｃ；２６ｃ；３６ｃ）及び前記第２の環状の先端面（１７ｃ；２７ｃ；３７ｃ）は、前記中心軸に直交する、共通の仮想平面（９０ａ）に一致することができ、
前記環状の径方向外側リップ（１６；２６；３６）の内周面（１６ａ；２６ａ；３６ａ）と前記共通の仮想平面（９０ａ）とがなす第１角度（α１）は鋭角に設定されることができ、
前記環状の径方向外側リップ（１６；２６；３６）の外周面（１６ｂ；２６ｂ；３６ｂ）と前記共通の仮想平面（９０ａ）とがなす第２角度（α２）は前記第１角度（α１）よりも大きく設定されることができる。
【００６２】
［付記２］一または複数の実装例では、前記環状の径方向外側リップ（１６；２６；３６）及び前記環状の径方向内側リップ（１７；２７；３７）が前記自然状態であるときに、前記第１の環状の先端面（１６ｃ；２６ｃ；３６ｃ）及び前記第２の環状の先端面（１７ｃ；２７ｃ；３７ｃ）は、前記中心軸に直交する方向から見て同じ高さレベルに整列することができる。
【００６３】
［付記３］一または複数の実装例では、前記環状の径方向外側リップ（１６；２６；３６）は、前記弾性シール要素の前記中心軸を通り前記中心軸と平行な断面視において、直角台形断面を有することができる。
【００６４】
［付記４］一または複数の実装例では、前記環状の径方向外側リップ（１６；２６；３６）の前記第１の環状の先端面（１６ｃ；２６ｃ；３６ｃ）は平坦面とすることができる。
【００６５】
［付記５］一または複数の実装例では、前記環状の径方向内側リップ（１７；３７）は、前記弾性シール要素の前記中心軸を通り前記中心軸と平行な断面視において、直角台形断面を有することができる。
【００６６】
［付記６］一または複数の実装例では、前記環状の径方向内側リップ（１７；３７）の前記第第２の環状の先端面（１７ｃ；３７ｃ）は平坦面とすることができる。
［付記７］一または複数の実装例では、前記環状の径方向内側リップ（２７）は、前記弾性シール要素の前記中心軸を通り前記中心軸と平行な断面視において、三角形断面を有することができる。
【００６７】
［付記８］一または複数の実装例では、前記環状の径方向内側リップ（２７）は、前記弾性シール要素の前記中心軸を通り前記中心軸と平行な断面視において、二等辺三角形断面を有することができる。
【００６８】
［付記９］一または複数の実装例では、前記環状の径方向内側リップ（２７）の前記第第２の環状の先端面（２７ｃ）は凸曲面とすることができる。
［付記１０］一または複数の実装例では、前記環状の径方向外側リップ（１６；２６；３６）は、前記環状のまたはフレア状の弾性シール面の全周にわたって均一形状を有することができる。
【００６９】
［付記１１］一または複数の実装例では、前記環状の径方向内側リップ（１７；２７；３７）は、前記環状のまたはフレア状の弾性シール面の全周にわたって均一形状を有することができる。
【００７０】
［付記１２］一または複数の実装例では、前記環状のまたはフレア状の弾性シール面は、前記環状の径方向外側リップ（１６；２６；３６）と前記環状の径方向内側リップ（１７；２７；３７）との間に形成される単一の環状溝を有することができる。
【００７１】
［付記１３］一または複数の実装例では、前記弾性シール要素（１０；２０；３０）は、前記取付パネル（９０）の一つのパネル面（９０ａ）においてのみ前記取付パネル（９０）と接触するように構成されることができる。
【００７２】
［付記１４］一または複数の実装例では、前記弾性シール要素（１０；２０；３０）は、環状ブラケット（６０）及びボルト（７０）によって、前記取付パネル（９０）の前記一つのパネル面（９０ａ）に取り外し可能に取り付けられる。
【００７３】
［付記１５］一または複数の実装例では、前記環状の径方向外側リップ（１６；２６；３６）及び前記環状の径方向内側リップ（１７；２７；３７）は、前記取付パネル（９０）の前記貫通孔の径方向外側において前記取付パネル（９０）を前記中心軸に沿って押圧するように構成されることができる。
【００７４】
［付記１６］一または複数の実装例では、前記弾性シール要素（１０；２０；３０）は、前記電線（８０）の挿通を許容する可撓性の筒状蛇腹部（１３）をさらに備えることができる。
【００７５】
［付記１７］一または複数の実装例では、前記弾性シール要素（１０；２０；３０）は、弾性材料製のワンピース品とすることができる。
本発明がその技術的思想から逸脱しない範囲で他の特有の形態で具体化されてもよいということは当業者にとって明らかであろう。例えば、実施形態（あるいはその１つ又は複数の態様）において説明した部品のうちの一部を省略したり、いくつかの部品を組合せてもよい。本発明の範囲は、添付の請求の範囲を参照して、請求の範囲が権利を与えられる均等物の全範囲と共に確定されるべきである。
【符号の説明】
【００７６】
１０，２０，３０，４０…グロメット、１１…筒部、１２，２２，３２，４２…拡径部、１２ａ，２２ａ，３２ａ，４２ａ…押圧面、１２ｂ，２２ｂ，３２ｂ，４２ｂ…対向面、１２ｃ，３２ｃ…外周面、１３…蛇腹部、１５…リップ、１６，２６，３６，４６…外側リップ、１６ａ，２６ａ，３６ａ，４６ａ…内周面、１６ｂ，２６ｂ，３６ｂ，４６ｂ…外周面、１６ｃ，２６ｃ，３６ｃ…平面、１７，２７，３７，４７…内側リップ、１７ａ，２７ａ，３７ａ，４７ａ…内周面、１７ｂ，２７ｂ，３７ｂ，４７ｂ…外周面、１７ｃ，３７ｃ…平面、６０…ブラケット、６０ｃ…内周面、６１…底壁部、６１ａ…挿通孔、６２…周壁部、６３…フランジ部、６３ａ…挿通孔、７０…ボルト、８０…ワイヤハーネス、９０…取付パネル、９０ａ…取付面、１１０…隙間、１３０…隙間、α１…第１角度、α２…第２角度、α３…第３角度、α４…第４角度。
【図１】
2020059392.tif 000003
【図２】
2020059392.tif 000004
【図３】
2020059392.tif 000005
【図４】
2020059392.tif 000006
【図５】
2020059392.tif 000007
【図６】
2020059392.tif 000008
【図７】
2020059392.tif 000009
【手続補正書】
【提出日】令和3年2月26日(2021.2.26)
【手続補正１】
【補正対象書類名】明細書
【補正対象項目名】００１０
【補正方法】変更
【補正の内容】
【００１０】
こうした構成によれば、リップ部の内側リップは、内周面と取付面とがなす第３角度が鋭角であり、外周面と取付面とがなす第４角度が第３角度よりも大きい。このため、内側リップは、上記外側リップによる作用効果と同様な作用効果を奏することができる。したがって、グロメットのシール性能をより向上させることができる。
【国際調査報告】
2020059392.tif 000010
2020059392.tif 000011
2020059392.tif 000012
2020059392.tif 000013